(57)【要約】【課題】構造が簡単でコストが安く、さらには広告パネルや商品見本を集客力を高めるように展示することができる自動販売機の展示装置を提供する。【解決手段】外扉２の前面に展示窓６を設け、展示窓６の内側に展示室３２を配置し、展示室３２には商品見本等を表示する展示台４１を備え、展示台４１は展示窓６の幅方向の略中央で二分され、そのそれぞれが底面から下方に突出して設けられ展示室３２の底面部３４と係合する係合突出部４１ｄと、底面から下方に突出した突部４１ｅを有するとともに突部４１ｅが上方に退避可能なように弾性変形可能に形成された位置決め部４１ｃと備え、展示室３２の底面部３４には、展示台４１の底面４１ｂに設けられた係合突出部と係合して展示台４１を取付位置に案内する切欠部２９ａ、２９ｂと、位置決め部４１ｃの突部４１ｅが嵌め込まれて展示台４１を取付位置に保持する位置決め穴３０が設けられる。【選択図】      図７
2008102608.tif 000002
【特許請求の範囲】
【請求項１】
本体前面を覆う外扉に商品見本等を展示する自動販売機において、前記外扉の前面に展示窓を設け、前記展示窓の内側に商品見本や広告等を展示する展示室を配置し、前記展示室には、前記展示窓の内側に前記商品見本や広告を表示する展示台を備え、前記展示台は前記展示窓の幅方向の略中央で左右に二分され、そのそれぞれが底面から下方に突出して設けられ前記展示室の底面部と係合する係合突出部と、前記底面から下方に突出した突部を有するとともに前記突部が上方に退避可能なように弾性変形可能に形成された位置決め部と備え、前記展示室の底面部には二分されたそれぞれの展示台の幅方向における外側端部を前記展示窓の幅方向の側端に寄せて位置させ、他端部を前記展示窓の幅方向の中央に向けて回動するとき、前記展示台の底面に設けられた係合突出部と係合して前記展示台を取付位置に案内する切欠部と、前記位置決め部の突部が嵌め込まれて前記展示台を前記取付位置に保持する位置決め穴が設けられたことを特徴とする自動販売機の展示装置。
【請求項２】
前記展示台は前記係合突出部を、前記位置決め部を挟んで幅方向の二個所に設けたことを特徴とする請求項１に記載の自動販売機の展示装置。
【発明の詳細な説明】
【技術分野】
【０００１】
本発明は、自動販売機の本体前面に設けられた商品等の展示部に、販売商品の広告や販売商品の見本等を表示する自動販売機の展示装置に関する。
【背景技術】
【０００２】
従来のこの種の自動販売機としては、先に出願公開された特開２００５−２９２９３９号公報（特許文献１）に記載されるようなものが知られている。この自動販売機は、前扉の前面に、商品見本展示部およびこの展示部に展示された商品を選択的に指定する商品選択ボタンを備え、さらにその前扉にその他の商品の広告用の窓部が設けられ、その窓部を介してその前面側から広告ユニットを視認可能に設け、その広告ユニットを前扉の裏面側から着脱自在に設けたものである。そして、この広告ユニットは、広告パネルが嵌め込まれるポスターユニットおよび商品見本展示部を備え、さらにこの広告ユニットを自照する照明装置、あるいは広告ユニットに組み込まれた内部構造物に動きを与える駆動装置が設けられ、これらを動作させるように構成されるものである。
【０００３】
このような自動販売機によれば、商品販売元のニーズの変化や市場動向の変化に応じて、適宜に広告ユニットに装着される広告パネルを取り替えたり、あるいは展示する商品見本を交換する等の広告ユニットの使い方が可能で、さらに照明装置や駆動装置を動作させることで消費者に対するその広告宣伝を効果的に行い集客性を高めることが可能な自動販売機を提供することができる。
【特許文献１】特開２００５−２９２９３９号公報
【発明の開示】
【発明が解決しようとする課題】
【０００４】
ところで、このような自動販売機において、前扉の裏面側から着脱自在に設けられた広告ユニットは、広告パネルを取り替え可能な装着装置や、その照明装置、あるいはその内部構造物に動きを与える駆動装置を備えるから、その構造が複雑で、形状も比較的大きい。そのため、その取り扱いが容易ではなく、またコストも高いものである。
本発明は、このような問題に対応するため、前扉の前面に設けられた窓部に対応して、広告パネルや商品見本を容易に装着することが可能で、その構造が簡単でコストが安く、さらにはそれらの展示によって、集客力を高めることができる自動販売機の展示装置を提供することを目的とするものである。
【課題を解決するための手段】
【０００５】
上記課題を解決するため、請求項１に係る発明は、本体前面を覆う外扉に商品見本等を展示する自動販売機において、前記外扉の前面に展示窓を設け、前記展示窓の内側に商品見本や広告等を展示する展示室を配置し、前記展示室には、前記展示窓の内側に前記商品見本や広告を表示する展示台を備え、前記展示台は前記展示窓の幅方向の略中央で左右に二分され、そのそれぞれが底面から下方に突出して設けられ前記展示室の底面部と係合する係合突出部と、前記底面から下方に突出した突部を有するとともに前記突部が上方に退避可能なように弾性変形可能に形成された位置決め部と備え、前記展示室の底面部には二分されたそれぞれの展示台の幅方向における外側端部を前記展示窓の幅方向の側端に寄せて位置させ、他端部を前記展示窓の幅方向の中央に向けて回動するとき、前記展示台の底面に設けられた係合突出部と係合して前記展示台を取付位置に案内する切欠部と、前記位置決め部の突部が嵌め込まれて前記展示台を前記取付位置に保持する位置決め穴が設けられたものである。
【０００６】
これによれば、前記展示台は前記展示窓の幅方向に二分割され、さらに前記展示室の底面部には分割されたそれぞれ前記展示台の装着を案内する切欠部と、前記展示台を装着位置に保持する位置決め穴が設けられるから、前記展示室の後部空間が前記展示窓に対比して幅狭に形成される場合にも、分割された前記展示台のそれぞれを前記展示室の後部空間を介して前記展示室の展示窓に沿って装着することにより、簡単な構造によって前記後部空間より幅広の前記展示窓の幅に合わせて、前記商品見本や広告を表示する前記展示台を容易に前記展示室に装着することができる。
【０００７】
請求項２に係る発明は、請求項１に記載の発明において、前記展示台は前記係合突出部を、前記位置決め部を挟んで幅方向の二個所に設けたものである。
これによれば、分割された前記展示台のそれぞれを前記展示室の展示窓に沿って装着するとき、前記展示台の前記位置決め部の突部を前記展示室の底面部の位置決め穴に向けて確実に案内することができる。
【発明の効果】
【０００８】
以上説明したように請求項１に係る発明によれば、展示室の後部空間が幅狭に形成される場合に、これに対して幅広に形成される展示窓の幅に合わせて、商品見本や広告を表示する展示台を容易に展示室に装着することができるから、商品見本や広告を展示窓の大きさに合わせて目立つように展示して集客力を高めるとともに、その装着を容易にすることで、取り扱いが簡単な自動販売機の展示装置を提供することができる。また、その展示台や展示室の構造を簡単にすることができるから、コストが安く、信頼性の高い自動販売機の展示装置を提供することができる。
【０００９】
また、請求項２に係る発明によれば、展示台の位置決め部を成す突部を展示室の底面部の位置決め穴に向けて確実に案内することができるから、その操作性をさらに向上させることができる。
【発明を実施するための最良の形態】
【００１０】
本発明の実施の形態について図を参照して説明する。図１は本発明の実施形態の自動販売機を示す正面図、図２は本発明の実施形態の自動販売機において前扉およびその背面の中扉を開いた状態を示す内部構造斜視図である。
図１、図２に示すように、この自動販売機は、販売商品を収納する商品コラム５を内部に備えて前面を開口した本体１と、本体１の前面開口を開閉自在に閉塞する前扉（外扉）２とを備えている。また、前扉２の背面側には、その背面を覆うとともにその背面側を開放可能な中扉３が配設されている。
【００１１】
前扉２の前面には、３段に区画されて配置され、その内部に商品見本を展示する商品展示窓部７と、各商品展示窓部７内の商品見本と対応してその下方に配設された商品選択ボタン８と、最上段の商品展示窓部７の上方に設けられ販売促進用の商品や広告等を表示する商品情報表示部（展示窓）６と、その下方に配置され、その販売促進用の商品を選択するための商品選択予備ボタン９と、商品情報表示部６の上方にそれと区別して設けられ商品のロゴマーク等を表示する広告板部１０等が設けられている。そして、これらは一群を成して前扉２の左側に寄せて配置され表示部４を形成している。また、この表示部４の下方には、商品コラム５から搬出される販売商品を取り出すための取出口扉１８が設けられている。さらに、前扉２の前面右側には、商品を購入するための金銭を投入する硬貨投入口１１および紙幣挿入口１２と、釣銭等を返却する返却レバー１３と、釣銭硬貨等を返却する硬貨返却口１４と、前面扉を本体１に施錠するための鍵部１５と、投入金額や販売情報を表示するための表示器１６等からなる操作部１７が設けられている。ここで、前扉２の表示部４と操作部１７の境界には、上下方向に延設されたイルミネーションランプ２０が設けられている。
【００１２】
また、前扉２の裏側には、投入された硬貨や紙幣を識別する硬貨識別装置（コインメカニズム）２１および紙幣識別装置（ビルバリデータ）２２と、投入された硬貨を貯留する硬貨金庫２３と、商品コラム５から払い出された商品が搬出される商品取出口２６が設けられている。また、表示部４の背面側には、各商品展示窓部7と、商品情報表示部６と、広告板部１０とにそれぞれ対応してその背面側に区画された展示室３１、３２、３３と、これらを区画形成するための仕切部材３５ａ、３５ｂ、３５ｃ、３５ｄ、３５ｅが設けられている。
【００１３】
前扉２の背面側に設けられた中扉３の前面には、前扉２に設けられた各商品展示窓部７と、商品情報表示部６と、広告板部１０とにそれぞれ対応して形成される展示室３１、３２、３３の背面を成すようにディスプレイパネル３７が設けられ、そのディスプレイパネル３７には、それらの商品展示窓部７、商品情報表示部６、広告板部１０を背面側から照明するようにそれらと対向して横長のＬＥＤランプユニット４０ａ、４０ｂ、４０ｃ、４０ｄ、４０ｅが上下方向に複数段に並んで設けられている。また、中扉３の側面側には商品の販売価格設定等の各種設定を入力するための入力キーボード２４が備えられ、その背面側には、本体１内に備えたものと同様の商品コラム５が設けられている。なお、商品コラム５は、たばこ等の箱型の商品を上下方向に積み重ねて収納するもので、その下部に最下位の商品を搬出する商品搬出装置２８が備えられている。そして、これらの商品コラム５から搬出される商品は、本体の下部に設けられた搬出シュート２７を介して、前扉２に設けられる商品取出口２６に送出される。
【００１４】
図３は、前扉に設けられた表示部４の構造を示す側断面図、図４は商品情報表示部６を前扉２の背面側から見た斜視図である。図に示すように、商品情報表示部６は、アクリル樹脂等からなり前面の窓部を覆う透明板６ａを備えている。そして、透明板６ａの背面側に着脱自在に設けられたポスター保持板（展示台）４１が設けられている。このポスター保持板４１は、その前面に販売商品の見本や広告等の絵柄が記載されたフィルム状の商品情報ポスター４３を重ねて差し入れ、商品情報表示部６の透明板６ａの背面側に装着することにより、前扉２の前面からその透明板６ａを介して商品情報ポスター４３の絵柄等を目視可能に展示するものである。なお、商品情報ポスター４３を使用せずに、ポスター保持板４１の表面に販売商品の見本や広告等の絵柄を直接に表示し、これを展示することも可能である。なお、商品情報ポスター４３とポスター保持板４１は光透過性部材からなり、商品情報表示部６と対向してディスプレイパネル３７に設けられたＬＥＤランプユニット４０ｄにより背面側から照明されるとき、商品情報ポスター４３が明るく表示される。なお、透明板６ａの背面側下方には、ポスター保持板４１を装着する底面部３４が設けられている。
【００１５】
また、図５は上下方向３段に構成される商品展示窓部７のうち上段または中段に位置する商品展示窓部７を前扉２の背面側から見た斜視図である。図に示すように、この商品展示窓部７は、商品情報表示部６と同様に前面の窓部を覆う透明板７ａを備えている。そして、この透明板７ａの背面側に着脱自在に商品見本保持具４５が設けられている。そして、この商品見本保持具４５の裏面に販売商品の見本等が記載された商品ラベル４７を装着し、それを商品展示窓部７の透明板７ａの背面側に装着することにより、前扉２の前面からその透明板７ａを介して商品ラベル４７に記載された販売商品の見本が目視可能に構成されている。なお、最下段に位置する商品展示窓部７には、商品ラベル４７を装着する商品見本保持具４５に代えて、立体形状の商品見本４６を展示可能とするサンプルホルダー３９（図３参照）が、中扉２のディスプレイパネル３７側に設けられている。なお、商品ラベル４７、商品見本保持具４５、立体形状の商品見本４６、サンプルホルダー３９等は光透過性部材からなり、商品展示窓部７に対向して設けられたＬＥＤランプユニット４０ａ、４０ｂ、４０ｃにより背面側から照明されるとき、各商品展示窓部７の展示室３１内において、商品ラベル４７に記載された販売商品の見本や、サンプルホルダー３９に保持された立体形状の商品見本４６が明るく表示される。
【００１６】
図６は、ポスター保持板４１を示す図で、（ａ）は正面図、（ｂ）は側面図、（ｃ）は（ａ）におけるＸ―Ｘ断面を示す平面断面図、（ｄ）は斜め下方から見た斜視図である。図に示すように、このポスター保持板４１は、前面に商品情報ポスター４３を装着するポスター装着部４１ａが形成され、その下部には係合突起（係合突出部）４１ｄを２箇備えた底面４１ｂと、下方に突出する突部４１ｅを有して上方に弾性変形可能に形成された位置決め部４１ｃが形成されている。この底面４１ｂに設けられた係合突起４１ｄは、このポスター保持板４１を展示室３２に装着するとき、その底面部３４に設けられる切欠部２９ａ、２９ｂ（図７参照）と係合されて、ポスター保持板４１を所定の装着位置に確実に案内するものである。なお、係合突起４１ｄの先端には、切欠部２９ａ、２９ｂの幅よりも幅広に形成された平板部４１ｆが設けられ、それが切欠部２９ａ、２９ｂに係合されるとき上方に抜けて外れないように工夫されている。また、位置決め部４１ｃに設けられた突部４１ｅは、ポスター保持板４１が、展示室３２において商品情報表示部６の透明板６ａの背面側の所定の装着位置に案内されたとき、その底面部３４に設けられる位置決め穴３０（図７参照）に嵌め込まれて、これを装着位置に保持するものである。なお、係合突起４１ｄは、位置決め部４１ｃを挟んで幅方向に２箇所設けられるから、係合突起４１ｄを切欠部２９ａ、２９ｂに係合してポスター保持板４１を展示室３２に装着するとき、位置決め部４１ｃの突部４１ｅを確実に位置決め穴３０に向けて案内する。
【００１７】
図７は、商品情報表示部６とその背面側に区画された展示室３２を示す平面断面図である。図に示すようにこの商品情報表示部６は前方に突出する円弧状に形成され、その窓部が透明板６ａにより覆われている。そして、透明板６ａの背面側には、商品情報表示部６の幅に合わせて商品情報ポスター４３を展示するポスター保持板４１が２個並べて装着されている。なお、このそれぞれのポスター保持板４１の幅は商品情報表示部６を幅方向に略２分する大きさに形成されている。商品情報表示部６の背面側に設けられる展示室３２は、両側部を側面カバー３６ａ、３６ｂにより覆われて、後方部の空間が透明板６ａ内側の前方部の空間より幅狭く形成されている。尚、側面カバー３６ａ、３６ｂはその内部に配置される電装部品等を見栄え良く覆うものである。また、商品情報部表示部６の内側にあって、展示室３２の底部を部分的に形成する底面部３４には、商品情報表示部６の内側に装着される２個のポスター保持板４１のそれぞれを、その外側端部を商品情報表示部６の幅方向の側端に寄せて位置させ、他端部を商品情報表示部６の幅方向の中央に向けて回動するとき、ポスター保持板４１の底面４１ｂに設けられた係合突起４１ｄと係合して、これを所定の装着位置に案内するための切欠部２９ａ、２９ｂと、位置決め部４１ｃの突部４１ｅが嵌り込んで、これを所定の装着位置に保持するための位置決め穴３０が設けられている。
【００１８】
以上のように、本発明の自動販売機の展示装置によれば、ポスター保持板４１は商品情報表示部６の幅方向に二分割され、さらにその展示室３２の底面部３４には分割されたそれぞれのポスター保持板４１の装着を案内する切欠部２９ａ、２９ｂと、それを装着位置に保持する位置決め穴３０が設けられるから、展示室３２の後部空間が商品情報表示部６に対比して幅狭に形成される場合にも、分割されたポスター保持板４１のそれぞれを展示室３２の後部空間を介して商品情報表示部６に沿って装着することにより、簡単な構造によって後部空間より幅広の商品情報表示部６の幅に合わせて、商品見本や広告を表示するポスター保持板４１を容易に展示室３２に装着することができる。
【００１９】
したがって、展示室３２の後部空間が幅狭に形成される場合に、これに対して幅広に形成される商品情報表示部６の幅に合わせて、商品見本や広告を表示するポスター保持板４１を容易に展示室３２に装着することができるから、商品見本や広告を商品情報表示部６の大きさに合わせて目立つように展示して集客力を高めるとともに、その装着を容易にすることで、取り扱いが簡単な自動販売機の展示装置を提供することができる。また、上述したようにポスター保持板４１や展示室３２の構造を簡単にすることができるから、コストが安く、信頼性の高い自動販売機の展示装置を提供することができる。
【００２０】
また、ポスター保持板４１は係合突起４１ｄを、位置決め部４１ｃを挟んで幅方向の二個所に設けるから、ポスター保持板４１の位置決め部４１ｃの突部４１ｅを展示室３２の底面部３４の位置決め穴３０に向けて確実に案内することができる。すなわち、これにより、さらにその操作性を向上させることができる。
なお、本発明は、言うまでもなく本実施の形態に示す装置にのみ限定されず、その趣旨の包含する範囲で応用変更が可能である。
【図面の簡単な説明】
【００２１】
【図１】本発明の実施形態の自動販売機を示す正面図である。
【図２】本発明の実施形態の自動販売機において前扉およびその背面の中扉を開いた状態を示す内部構造斜視図である。
【図３】本発明の実施形態の自動販売機において前扉に設けられた表示部の構造を示す側断面図である。
【図４】本発明の実施形態の自動販売機において、商品情報表示部を前扉の背面側から見た斜視図である。
【図５】本発明の実施形態の自動販売機において、上下方向３段に構成される商品展示窓部のうち上段または中段に位置する商品展示窓部を前扉の背面側から見た斜視図ある。
【図６】本発明の実施形態の自動販売機において、ポスター保持板を示す図で、（ａ）は正面図、（ｂ）は側面図、（ｃ）は（ａ）におけるＸ―Ｘ断面を示す平面断面図、（ｄ）は斜め下方から見た斜視図である。
【図７】本発明の実施形態の自動販売機において、商品情報表示部とその背面側に区画された展示室を示す平面断面図である。
【符号の説明】
【００２２】
１  本体  
２  前扉（外扉）
６  商品情報表示部（展示窓）
７  商品展示窓部（展示窓）
２９ａ  切欠部  
２９ｂ  切欠部
３０  位置決め穴
３２  展示室
３４  底面部
４１  ポスター保持板（展示台）
４１ｃ  位置決め部  
４０ｄ  係合突出部（係合突起）
４０ｅ  突部
４３  商品情報ポスター
４６  （立体形状）商品見本
４７  商品ラベル
【図１】
2008102608.tif 000003
【図２】
2008102608.tif 000004
【図３】
2008102608.tif 000005
【図４】
2008102608.tif 000006
【図５】
2008102608.tif 000007
【図６】
2008102608.tif 000008
【図７】
2008102608.tif 000009